(57)【特許請求の範囲】
【請求項１】
引戸に形成された取付長孔に取り付けられる引手本体と、引手本体同士を連結する連結部材とからなり、
前記引手本体は、
長尺状の底壁と、
前記底壁の長手方向と略直交する短手方向両側に形成された側壁と、
前記側壁の端部に形成され、前記引戸の取付長孔の周縁に係合するフランジと、
前記底壁又は側壁若しくは底壁と側壁の接続部に形成され、引手本体の長手方向と略並行に延びる一対の係止条とで形成され、
前記連結部材は、
前記引手本体の一対の係止条に係止される一対の係止縁を有する基部と、
前記基部に形成された係止部とからなり、
一方の連結部材の係止部を他方の連結部材の係止部に係止させて連結部材同士を連結することを特徴とする引戸用引手装置。
【請求項２】
前記連結部材の係止部は、係止凸部と係止凹部とで形成され、
前記係止凸部及び係止凹部の少なくとも一方には係止爪が形成されており、
一方の連結部材の係止凸部を他方の連結部材の係止凹部に係止させ、一方の連結部材の係止凹部を他方の連結部材の係止凸部に係止させて連結部材同士を連結することを特徴とする請求項１記載の引戸用引手装置。
【請求項３】
前記連結部材は、前記一対の係止縁が前記引手本体に形成された一対の係止条に沿って摺動可能となるように形成されていることを特徴とする請求項１又は２記載の引戸用引手装置。
【請求項４】
前記引手本体の長手方向両側には、引手本体同士を接続する端部接続手段が設けられ、
前記端部接続手段は、
引手本体の長手方向両側に取り付けられるキャップ体と、
前記キャップ体に形成された一対の係合突起と、
前記一対の係合突起に係合される一対の係合片を有する接続部材と、
前記接続部材に形成された係合部とからなり、
一方の接続部材の係合部を他方の接続部材の係合部に係合させて接続部材同士を接続することを特徴とする請求項１、２又は３記載の引戸用引手装置。
【請求項５】
前記接続部材の係合部は、係合凸部と係合凹部とで形成され、
前記係合凸部及び係合凹部の少なくとも一方には係合爪が形成されており、
一方の接続部材の係合凸部を他方の接続部材の係合凹部に係合させ、一方の接続部材の係合凹部を他方の接続部材の係合凸部に係合させて接続部材同士を接続することを特徴とする請求項４記載の引戸用引手装置。
【発明の詳細な説明】
【技術分野】
【０００１】
本発明は、引戸に取り付けられ、引戸の開閉の際に手を引っ掛けて使用される引戸用引手装置に関する。
【背景技術】
【０００２】
従来の引戸用引手装置は、引戸に形成された取付長孔に両側から取り付けられる一対の引手本体と、一対の引手本体同士を連結する連結部材とからなる。引手本体は、長尺状の底壁と、前記底壁の長手方向と略直交する短手方向両側に形成され、底壁の一方の面側に突出する側壁と、前記側壁の端部に形成され、引戸の取付長孔の周縁に係合するフランジとで形成されている。前記連結部材は、側壁に一体成形され、底壁の他方の面側に突出している。従来の引戸用引手装置は、一方の引手本体を引戸の一方の面側から取付長孔に装着し、他方の引手本体を引戸の他方の面側から取付長孔に装着すると、一方の引手本体の連結部材が他方の引手本体の側壁に係止され、他方の引手本体の連結部材が一方の引手本体の側壁に係止されて引戸に取り付けられる（例えば、特許文献１）。
【０００３】
また、従来の引戸用引手装置は、引手本体の長手方向両側に端部接続手段が設けられている。端部接続手段は、引手本体の長手方向両端に取り付けられるキャップ体を有する。従来の引戸用引手装置は、一方の引手本体を引戸の一方の面側から取付長孔に装着し、他方の引手本体を引戸の他方の面側から取付長孔に装着して、一方の引手本体の端部接続手段のキャップ体と他方の引手本体の端部接続手段のキャップ体をネジにより連結させて引戸に取り付けられる（例えば、特許文献２）。
【先行技術文献】
【特許文献】
【０００４】
【特許文献１】特開２０１１−１１１７３８号公報
【特許文献２】特開２００５−７６２７８号公報
【発明の概要】
【発明が解決しようとする課題】
【０００５】
上記従来の引戸用引手装置は、引手本体に連結部材が一体成形され、連結部材の取付位置が既に決められており、連結部材の取付位置、連結部材の取付数、連結部材の取付間隔を自由に設定することができないという問題点があった。従来の長尺状の引戸用引手装置は、一対の引手本体を引戸に形成された取付長孔の両側から取り付け、一対の引手本体の長手方向両端のみで連結して引戸に取り付けた場合、引手本体の略中間部と引戸との間に隙間が生じる可能性があると共に、両端のみでの連結では連結力が弱いので使用中に連結が解除されて引手本体が引戸から外れてしまう恐れがある。そのため、従来の長尺状の引戸用引手装置は、引戸本体の略中央部に連結部材を一体成形で設けている。
【０００６】
上記したように、従来の引戸用引手装置は、一対の引手本体を連結部材が連結して引戸に取り付けるものであるが、引手本体が長く、引手本体に一体成形された連結部材の数が少ないと、やはり連結部材による連結部の距離が長くなるので、引手本体と引戸の間に隙間が発生するという問題点があった。また、引戸の重量が大きい場合には引手本体に加わる力が強くなり、引戸の開閉の頻度が多い場合には引手本体に繰り返し負荷がかかるので、最初から決められた連結部材の取付位置、取付数、取付間隔によっては、連結部材が破損したり、連結部材の連結が外れて引手本体が引戸から取れてしまったりするという問題点があった。このように、引戸用引手装置は、引手本体の長さ、引手本体に頻繁に加わる負荷の位置、引戸自体の重量及び引戸の使用頻度に応じて、引手本体を連結する連結部材の取付位置、取付数及び取付間隔を調節することができる構成が望まれていた。
【０００７】
また、従来の引戸用引手装置は、引手本体の長手方向両側に端部接続手段が設けられているが、引手本体同士を接続して一体化するために、ネジを利用するので、ワンタッチで簡単に接続させることができず、組み立てが面倒であるという問題点があった。さらに、従来の引戸用引手装置は、引手本体の長さが決まっており、引手本体の長さに合わせて、引戸に取付長孔を形成しなければならず、面倒であるという問題点があった。
【０００８】
本願発明は、上記問題点に鑑み案出したものであって、引手本体の長さ、引手本体に加わる負荷の位置、引戸自体の重量及び引戸の使用頻度に応じて、引手本体同士を連結する連結部材の取付位置、取付数及び取付間隔を調節することができ、さらに引戸の取付長孔に合わせて引手本体の長さを変更することができる引戸用引手装置を提供することを第１の目的とする。また、引手本体の長手方向両側に設けた端部接続手段をワンタッチで簡単に接続させることができ、組み立てが容易な引戸用引手装置を提供することを第２の目的とする。
【課題を解決するための手段】
【０００９】
本願請求項１記載の引戸用引手装置は、上記第１の目的を達成するため、引戸に形成された取付長孔に取り付けられる引手本体と、引手本体同士を連結する連結部材とからなり、前記引手本体は、長尺状の底壁と、前記底壁の長手方向と略直交する短手方向両側に形成された側壁と、前記側壁の端部に形成され、前記引戸の取付長孔の周縁に係合するフランジと、前記底壁又は側壁若しくは底壁と側壁の接続部に形成され、引手本体の長手方向と略並行に延びる一対の係止条とで形成され、前記連結部材は、前記引手本体の一対の係止条に係止される一対の係止縁を有する基部と、前記基部に形成された係止部とからなり、一方の連結部材の係止部を他方の連結部材の係止部に係止させて連結部材同士を連結することを特徴とする。
【００１０】
本願請求項２記載の引戸用引手装置は、上記第１の目的を達成するため、前記連結部材の係止部は、係止凸部と係止凹部とで形成され、前記係止凸部及び係止凹部の少なくとも一方には係止爪が形成されており、一方の連結部材の係止凸部を他方の連結部材の係止凹部に係止させ、一方の連結部材の係止凹部を他方の連結部材の係止凸部に係止させて連結部材同士を連結することを特徴とする。
【００１１】
本願請求項３記載の引戸用引手装置は、上記第１の目的を達成するため、前記連結部材は、前記一対の係止縁が前記引手本体に形成された一対の係止条に沿って摺動可能となるように形成されていることを特徴とする。
【００１２】
本願請求項４記載の引戸用引手装置は、上記第２の目的を達成するため、前記引手本体の長手方向両側には、引手本体同士を接続する端部接続手段が設けられ、前記端部接続手段は、引手本体の長手方向両側に取り付けられるキャップ体と、前記キャップ体に形成された一対の係合突起と、前記一対の係合突起に係合される一対の係合片を有する接続部材と、前記接続部材に形成された係合部とからなり、一方の接続部材の係合部を他方の接続部材の係合部に係合させて接続部材同士を接続することを特徴とする。
【００１３】
本願請求項５記載の引戸用引手装置は、上記第２の目的を達成するため、前記接続部材の係合部は、係合凸部と係合凹部とで形成され、前記係合凸部及び係合凹部の少なくとも一方には係合爪が形成されており、一方の接続部材の係合凸部を他方の接続部材の係合凹部に係合させ、一方の接続部材の係合凹部を他方の接続部材の係合凸部に係合させて接続部材同士を接続することを特徴とする。
【発明の効果】
【００１４】
本願発明に係る引戸用引手装置は、引戸に形成された取付長孔に取り付けられる引手本体と、引手本体同士を連結する連結部材とからなる。前記引手本体は、長尺状の底壁と、前記底壁の長手方向と略直交する短手方向両側に形成された側壁と、前記側壁の端部に形成され、前記引戸の取付長孔の周縁に係合するフランジと、前記底壁又は側壁若しくは底壁と側壁の接続部に形成され、引手本体の長手方向と略並行に延びる一対の係止条とで形成されている。前記連結部材は、前記引手本体の一対の係止条に係止される一対の係止縁を有する基部と、前記基部に形成された係止部とからなり、一方の連結部材の係止部を他方の連結部材の係止部に係止させて連結部材同士を連結する。
【００１５】
本願発明に係る引戸用引手装置は、引手本体と、引手本体同士を連結する連結部材が別体で構成され、連結部材の一対の係止縁を引手本体の一対の係止条に係止することによって連結部材を引手本体に取り付けることができ、引手本体の長さ、引手本体に加わる負荷の位置、引戸自体の重量及び引戸の使用頻度に応じて、引手本体同士を連結する連結部材の取付位置、取付数及び取付間隔を調節することができるという効果がある。また、本願発明に係る引戸用引手装置は、引手本体の長さを調節し、引手本体の一対の係止条に、別体で構成した連結部材を係止して取り付けることができるので、引戸に形成された取付長孔の長さに合わせて調節することができるという効果がある。
【００１６】
本願発明に係る引戸用引手装置は、前記連結部材の係止部が、係止凸部と係止凹部とで形成され、前記係止凸部及び係止凹部の少なくとも一方には係止爪が形成されており、一方の連結部材の係止凸部を他方の連結部材の係止凹部に係止させ、一方の連結部材の係止凹部を他方の連結部材の係止凸部に係止させて連結部材同士を連結する。
【００１７】
本願発明に係る引戸用引手装置は、上記効果に加え、一方の連結部材の係止凸部を他方の連結部材の係止凹部に係止させ、一方の連結部材の係止凹部を他方の連結部材の係止凸部に係止させて連結部材同士を連結させ、一対の引手本体同士を簡単に連結させることができるという効果がある。本願発明に係る引戸用引手装置は、係止凸部及び係止凹部の少なくとも一方に係止爪が形成されているので、係止凸部を係止凹部に係止させると、係止爪により簡単には外れなくなるという効果がある。また、本願発明に係る引戸用引手装置は、一対の連結部材の向きを互いに変えることにより、一対の連結部材を連結させることができるので、一種類の連結部材を作るだけで良く、コストを安く抑えることができるという効果がある。
【００１８】
本願発明に係る引戸用引手装置は、前記連結部材が、前記一対の係止縁が前記引手本体に形成された一対の係止条に沿って摺動可能となるように形成されているので、上記効果に加え、連結部材を引手本体に取り付けた後、連結部材を摺動させて取付位置の調節をすることができるという効果がある。
【００１９】
本願発明に係る引戸用引手装置は、前記引手本体の長手方向両側に、引手本体同士を接続する端部接続手段が設けられている。前記端部接続手段は、引手本体の長手方向両側に取り付けられるキャップ体と、前記キャップ体に形成された一対の係合突起と、前記一対の係合突起に係合される一対の係合片を有する接続部材と、前記接続部材に形成された係合部とからなり、一方の接続部材の係合部を他方の接続部材の係合部に係合させて接続部材同士を接続する。
【００２０】
本願発明に係る引戸用引手装置は、上記効果に加え、一方の引手本体に設けられた端部接続手段の接続部材の係合部を、他方の引手本体に設けられた端部接続手段の接続部材の係合部に係合させて、端部接続手段同士をワンタッチで簡単に接続させることができ、組み立てが容易であるという効果がある。
【００２１】
本願発明に係る引戸用引手装置は、前記接続部材の係合部が、係合凸部と係合凹部とで形成され、前記係合凸部及び係合凹部の少なくとも一方には係合爪が形成されており、一方の接続部材の係合凸部を他方の接続部材の係合凹部に係合させ、一方の接続部材の係合凹部を他方の接続部材の係合凸部に係合させて接続部材同士を接続する。
【００２２】
本願発明に係る引戸用引手装置は、上記効果に加え、一方の接続部材の係合凸部を他方の接続部材の係合凹部に係合させ、一方の接続部材の係合凹部を他方の接続部材の係合凸部に係合させて接続部材同士を接続させ、一対の引手本体同士を簡単に連結させることができるという効果がある。本願発明に係る引戸用引手装置は、係合凸部及び係合凹部の少なくとも一方に係合爪が形成されているので、係合凸部を係合凹部に係合させると、係合爪により簡単には外れなくなるという効果がある。
【図面の簡単な説明】
【００２３】
【図１】本願発明に係る引戸用引手装置の一つの形態を示す全体組立斜視図である。
【図２】図１の引戸用引手装置の全体組立図であって、（ａ）が正面図、（ｂ）が側面図である。
【図３】図１の引戸用引手装置の分解斜視図である。
【図４】図１の引戸用引手装置の分解斜視図である。
【図５】図１の端部接続手段の分解斜視図であって、（ａ）が正面側から見た図、（ｂ）が背面側から見た図である。
【図６】図１の引戸用引手装置のＡ−Ａ裁断図である。
【図７】図２の引戸用引手装置の平面図であって、（ａ）がＢ−Ｂ平面断面図、（ｂ）が下から見た底面図である。
【図８】図１の引戸用引手装置の引手本体の斜視図である。
【図９】図１の引戸用引手装置の引手本体の説明図であって、（ａ）が側面図、（ｂ）が正面図、（ｃ）がＤ−Ｄ断面図である。
【図１０】図１の引戸用引手装置の連結部材の説明図である。
【図１１】図１０の引戸用引手装置の可撓性連結部材の装着方法を示す斜視図である。
【図１２】図１０の引戸用引手装置の硬質性連結部材の装着方法を示す斜視図であって、（ａ）が装着前の斜視図、（ｂ）が装着後の斜視図である。
【図１３】図１の引戸用引手装置を引戸に取り付ける斜視図であって、（ａ）が取付前の斜視図、（ｂ）が取付後の斜視図である。
【図１４】図１３（ｂ）のＣ−Ｃ断面図である。
【発明を実施するための形態】
【００２４】
本願発明に係る引戸用引手装置の概要について説明する。引戸用引手装置１０は、図１３に示すように、引戸１に形成された取付長孔２に取り付けられる引手本体１１と、引手本体１１同士を連結する連結部材３０とからなる。前記引手本体１１は、図８，９に示すように、長尺状の底壁１２と、前記底壁１２の長手方向Ｘと略直交する短手方向Ｙ両側に形成された側壁１３，１４と、前記側壁１３，１４の端部１３ａ，１４ａに形成され、前記引戸１の取付長孔２の周縁２ａに係合するフランジ１５，１６と、前記底壁１２又は側壁１３，１４若しくは底壁１２と側壁１３，１４の接続部１３ｂ，１４ｂに形成され、引手本体１１の長手方向と略並行に延びる一対の係止条２１，２２とで形成されている。
【００２５】
前記連結部材３０は、図３に示すように、前記引手本体１１の一対の係止条２１，２２に係止される一対の係止縁３５，３６を有する基部３２と、前記基部３２に形成された係止部４０とからなる。前記連結部材３０は、図６に示すように、一方の連結部材３０の係止部４０を他方の連結部材３０の係止部４０に係止させて連結部材３０同士を連結する。
【００２６】
引戸用引手装置１０は、図１１，１２に示すように、引手本体１１と、引手本体１１同士を連結する連結部材３０が別体で構成され、連結部材３０の一対の係止縁３５，３６を引手本体１１の一対の係止条２１，２２に係止することによって連結部材３０を引手本体１１に取り付けることができ、引手本体１１の長さ、引手本体１１に加わる負荷の位置、引戸１自体の重量及び引戸１の使用頻度（引戸１の開閉数）に応じて、引手本体１１同士を連結する連結部材３０の取付位置、取付数及び取付間隔を調節することができる。即ち、引戸用引手装置１０は、引手本体１１の負荷の小さい位置に連結部材３０を減らして配置し、引手本体１１の負荷の大きい位置に連結部材３０を増やして配置することができる。
【００２７】
また、引戸用引手装置１０は、引手本体１１の長さを調節し、引手本体１１の一対の係止条２１，２２に、別体で構成した連結部材３０を係止して取り付けることができるので、引戸１に形成された取付長孔２の長さに合わせて調節することができる。
【００２８】
引戸用引手装置１０は、図１０に示すように、前記連結部材３０の係止部４０が、係止凸部４２と係止凹部４１とで形成され、前記係止凸部４２及び係止凹部４１の少なくとも一方には係止爪４２ａ，４１ａが形成されている。引戸用引手装置１０は、図６に示すように、一方の連結部材３０の係止凸部４２を他方の連結部材３０の係止凹部４１に係止させ、一方の連結部材３０の係止凹部４１を他方の連結部材３０の係止凸部４２に係止させて連結部材３０同士を連結する。
【００２９】
引戸用引手装置１０は、図６に示すように、一方の連結部材３０の係止凸部４２を他方の連結部材３０の係止凹部４１に係止させ、一方の連結部材３０の係止凹部４１を他方の連結部材３０の係止凸部４２に係止させて連結部材３０同士を連結させ、一対の引手本体１１同士を簡単に連結させることができる。引戸用引手装置１０は、係止凸部４２及び係止凹部４１の少なくとも一方に係止爪４２ａ，４１ａが形成されているので、係止凸部４２を係止凹部４１に係止させると、係止爪４２ａ，４１ａが噛み合って簡単には外れなくなる。また、引戸用引手装置１０は、一対の連結部材３０の向きを互いに変えることにより、一対の連結部材３０を連結させることができるので、一種類の連結部材３０を作るだけで良く、コストを安く抑えることができる。
【００３０】
引戸用引手装置１０の前記連結部材３０は、図１２に示すように、前記一対の係止縁３５，３６が前記引手本体１１に形成された一対の係止条２１，２２に沿って摺動可能となるように形成されているので、連結部材３０を引手本体１１に取り付けた後、連結部材３０を摺動させて取付位置の調節をすることができる。
【００３１】
図３に示すように、引戸用引手装置１０は、前記引手本体１１の長手方向Ｘ両側に、引手本体１１同士を接続する端部接続手段５０が設けられている。図４に示すように、前記端部接続手段５０は、引手本体１１の長手方向Ｘ両側に取り付けられるキャップ体５１と、図５に示すように、前記キャップ体５１に形成された一対の係合突起６１，６２と、前記一対の係合突起６１，６２に係合される一対の係合片７５，７６を有する接続部材７０と、前記接続部材７０に形成された係合部８０とからなる。端部接続手段５０は、図７（ｂ）に示すように、一方の接続部材７０の係合部８０を他方の接続部材７０の係合部８０に係合させて接続部材７０同士を接続する。
【００３２】
引戸用引手装置１０は、図７（ｂ）に示すように、一方の引手本体１１に設けられた端部接続手段５０の接続部材７０の係合部８０を、他方の引手本体１１に設けられた端部接続手段５０の接続部材７０の係合部８０に係合させて、端部接続手段５０同士をワンタッチで簡単に接続させることができ、組み立てが容易である。
【００３３】
引戸用引手装置１０は、図１１に示すように、前記接続部材７０の係合部８０が、係合凸部８１と係合凹部８２とで形成され、前記係合凸部８１及び係合凹部８２の少なくとも一方には係合爪８１ａ，８３ａ，８４ａが形成されており、一方の接続部材７０の係合凸部８１を他方の接続部材７０の係合凹部８２に係合させ、一方の接続部材７０の係合凹部８２を他方の接続部材７０の係合凸部８１に係合させて接続部材７０同士を接続する。
【００３４】
引戸用引手装置１０は、一方の接続部材７０の係合凸部８１を他方の接続部材７０の係合凹部８２に係合させ、一方の接続部材７０の係合凹部８２を他方の接続部材７０の係合凸部８１に係合させて接続部材７０同士を接続させ、一対の引手本体１１同士を簡単に連結させることができる。引戸用引手装置１０は、係合凸部８１及び係合凹部８２の少なくとも一方に係合爪８１ａ，８３ａ，８４ａが形成されているので、係合凸部８１を係合凹部８２に係合させると、係合爪８１ａ，８３ａ，８４ａにより簡単には外れなくなる。
【００３５】
さらに、引戸用引手装置について詳細に説明する。図１に示すように、引戸用引手装置１０は、引戸１に形成された取付長孔２に両側から取り付けられる一対の引手本体１１と、引手本体１１同士を連結する複数の連結部材３０とからなる。図１３に示すように、引戸１は、木製、金属製等の種々の材料で平板状に形成され、開閉端３側近傍に引戸用引手装置１０を取り付ける取付長孔２が形成されている。取付長孔２は、開閉端３と略並行に延設され、引戸１を貫通しており、矩形状に形成されている。
【００３６】
引手本体１１は、アルミニウム、スチール等の金属、硬質合成樹脂等により成形されている。引手本体１１は、図８，９に示すように、長尺状の底壁１２と、前記底壁１２の長手方向Ｘと略直交する短手方向Ｙ両側に形成された側壁１３，１４を有する。側壁１３，１４は、底壁１２の一方の面１２ａ側に突出しており、先端部１３ａ，１４ａにフランジ１５，１６が形成されている。フランジ１５，１６は、側壁１３，１４と略直角で外方に突出しており、引戸１の取付長孔２の周縁２ａに係合する。側壁１３，１４の外側面には、係止爪条１７，１８が側壁１３，１４の長手方向に延設されている。係止爪条１７，１８は、引戸１の取付長孔２の内側壁２ｂに係止する。
【００３７】
底壁１２の他方の面１２ｂ側には、一対の係止突条２１，２２が略並行に形成されている。係止突条２１，２２は、底壁１２の長手方向に延設されている。なお、一対の係止突条２１，２２は、底壁１２に限定されるものではなく、側壁１３，１４若しくは底壁１２と側壁１３，１４の接続部１３ｂ、１４ｂに形成されていても構わない。係止突条２１，２２の外側面には、係止凹条２３，２４が係止突条２１，２２の長手方向に形成されている。また、底壁１２の他方の面１２ｂであって、一対の係止突条２１，２２の間には、当接凸条２６，２７が略並行に形成されている。当接凸条２６，２７は、底壁１２の長手方向に延設されている。
【００３８】
図１０に示すように、連結部材３０は、アルミニウム、スチール等の金属、合成樹脂等により成形されている。連結部材３０は、基板（基部）３２を有する。基板（基部）３２の左右両側には、略コ字状の係止部３７，３８が設けられている。係止部３７，３８には、係止縁３５，３６が形成されている。当該係止部３７，３８の係止縁３５，３６は、引手本体１１の一対の係止突条２１，２２の係止凹条２３，２４に係止される。
【００３９】
前記基板（基部）３２の一方の面、即ち、係止縁３５，３６と反対側の面３２ａには、係止部４０が形成されている。係止部４０は、係止凹部４１と係止凸部４２とで形成されている。係止凸部４２は、平板状に形成され、外側面に係止爪４２ａが設けられている。係止凹部４１は、一対の平板状の突起板４３，４４の間で形成されている。突起板４３，４４の間は、係止凸部４２の厚みと略同程度となっており、外側の突起板４４の内側面に係止凸部４２の係止爪４２ａと噛み合う係止爪４１ａが設けられている。
【００４０】
係止凹部４１と係止凸部４２は、基板（基部）３２の中心を挟んだ両側の略同一位置に設けられている。図６に示すように、一対の連結部材３０は、一方の連結部材３０の係止凹部４１に他方の連結部材３０の係止凸部４２を係止させ、一方の連結部材３０の係止凸部４２を他方の連結部材３０の係止凹部４１に係止させて連結させることができる。一対の連結部材３０は、上記したように連結すると、係止凹部４１の係止爪４１ａと係止凸部４２の係止爪４２ａが噛み合うので、連結の解除が困難となる。
【００４１】
引戸用引手装置１０は、図３に示すように、前記引手本体１１の長手方向Ｘ両側に、端部接続手段５０が設けられている。端部接続手段５０は、図４，５に示すように、キャップ体５１と接続部材７０とからなる。キャップ体５１は、平面板５２と、平面板５２の後端に略直角に設けられた背面板５３と、背面板５３の前面に設けられた傾斜体５５と、背面板５３の上端に設けられた上面板５６とからなる。キャップ体５１は、平面板５２と傾斜体５５の間に前記引手本体１１の底壁１２を差し込み可能な差込溝５７が形成されている。
【００４２】
平面板５２及び傾斜体５５は、前記引手本体１１の係止突条２１，２２間に入れる幅で形成されている。キャップ体５１は、これの差込溝５７に引手本体１１の底壁１２を差し込むと、傾斜体５５の底面が底壁１２の上面（一方の面）１２ａに当接し、平面板５２の上面が底壁１２に形成された一対の当接凸条２６，２７に当接して、引手本体１１に取り付けられる。なお、キャップ体５１は、ネジ等により固定しても構わない。前記上面板５６は、キャップ体５１が引手本体１１に取り付けられると、フランジ１５，１６の端部に当接し、フランジ１５，１６と略同一平面を構成する。
【００４３】
キャップ体５１の背面板５３及び上面板５６には、一対の略Ｌ字状の係合突起６１，６２及びガイド片６３が一体で設けられている。一対の係合突起６１，６２は、固定片６４，６５と、固定片６４，６５と略直角の係合片６６，６７とからなる。前記ガイド片６３は、一対の係合突起６１，６２の略中心に配置され、前端下部に傾斜縁６８が形成されている。
【００４４】
接続部材７０は、アルミニウム、スチール等の金属、合成樹脂等により成形されている。接続部材７０は、基体７２を有する。基体７２の左右両側の一方には、略コ字状の係合板７７，７８が設けられている。係合板７７，７８には、係合片７５，７６が形成されている。当該係合板７７，７８の係合片７５，７６は、キャップ体５１の一対の係合突起６１，６２の係合片６６，６７に係合される。前記ガイド片６３は、接続部材７０の係合片７５，７６がキャップ体５１の一対の係合片６６，６７に係合されると、接続部材７０の基体７２に当接してガイドする。
【００４５】
前記基体７２の他方、即ち、係合板７７，７８と反対側には、係合部８０が形成されている。係合部８０は、係合凸部８１と係合凹部８２とで形成されている。係合凸部８１は、矩形体状に形成され、内外側面に係合爪８１ａが設けられている。係合凹部８２は、一対の平板状の突起板８３，８４の間で形成されている。突起板８３，８４の間は、係合凸部８１の厚みと略同程度となっており、外側の突起板８３の内側面と内側の突起板８４の内側面に前記係合凸部８１の係合爪８１ａと噛み合う係合爪８３ａ，８４ａが設けられている。突起板８３，８４は、補強のため、下端にリブ８３ｂ、８４ｂが設けられている。
【００４６】
係合凸部８１と係合凹部８２は、基体７２の中心を挟んだ両側の略同一位置に設けられている。図７に示すように、一対の接続部材７０は、一方の接続部材７０の係合凸部８１を他方の接続部材７０の係合凹部８２に係合させ、一方の接続部材７０の係合凹部８２に他方の接続部材７０の係合凸部８１を係合させて接続させて、他方の接続部材７０に連結することができる。一対の接続部材７０は、上記したように接続すると、係合凸部８１の係合爪８１ａと係合凹部８２の係合爪８３ａ，８４ａが噛み合うので、連結の解除が困難となる。
【００４７】
引戸用引手装置１０は、上記構成を有し、以下のように使用することができる。図４に示すように、引手本体１１の一対の係止突条２１，２２に連結部材３０を取り付ける。連結部材３０が合成樹脂等の可撓性素材で形成されている場合は、図１１に示すように、係止縁３５，３６を一対の係止突条２１，２２に圧接させると、係止縁３５，３６が素材の弾性により外側に拡がってから一対の係止突条２１，２２の係止凹条２３，２４に係止する。なお、可撓性素材で形成された連結部材３０は、摩擦抵抗が大きいので、素材の弾性により引手本体１１に容易に位置決めできる。
【００４８】
連結部材３０が金属等の硬質性素材で形成されている場合は、係止縁３５，３６が外側に拡がらないので、図１２に示すように、係止縁３５，３６を一対の係止突条２１，２２の係止凹条２３，２４に長手方向の一端側（上端側）から差し込むようにして、係止縁３５，３６を一対の係止突条２１，２２の係止凹条２３，２４に係止する。なお、硬質性素材で形成された連結部材３０は、摩擦抵抗が小さく滑りやすいので、ネジ３９等の固定手段により引手本体１１に固定しても構わない。
【００４９】
連結部材３０は、このようにして、引手本体１１に取り付けることができる。連結部材３０は、引手本体１１の一対の係止突条２１，２２に沿って長手方向に摺動可能である。従って、引戸用引手装置１０は、引手本体１１に取り付ける連結部材３０の取付数、取付位置、取付間隔を自由に変更することができる。一対の引手本体１１に同一の取付数の連結部材３０を略同一の取付位置に略同一の取付間隔で上記したように取り付ける。
【００５０】
また、図３に示すように、引手本体１１の長手方向両端に端部接続手段５０を取り付ける。最初、キャップ体５１を引手本体１１に取り付ける。キャップ体５１の差込溝５７に引手本体１１の底壁１２を差し込み、傾斜体５５の底面が底壁１２の上面（一方の面）１２ａに当接し、平面板５２の上面が底壁１２に形成された一対の当接凸条２６，２７に当接して、引手本体１１に取り付けられる。なお、キャップ体５１をネジ等の固定手段により引手本体１１に固定しても構わない。
【００５１】
キャップ体５１に接続部材７０を取り付ける。図５に示すように、接続部材７０は、これの係合板７７，７８に形成された係合片７５，７６を、キャップ体５１の一対の係合突起６１，６２の係合片６６，６７に係合することによって、キャップ体５１に取り付けられる。このようにして、一対の引手本体１１の長手方向両端に端部接続手段５０を取り付ける。
【００５２】
図１３に示すように、引戸１の両方の面側に、一対の引手本体１１を対向して配置し、引戸１に形成された取付長孔２に両側から一対の引手本体１１を装着する。一方の引手本体１１を引戸１の一方の面側から取付長孔２に装着し、他方の引手本体１１を引戸１の他方の面側から取付長孔２に装着すると、引手本体１１のフランジ１５，１６及びキャップ体５１の上面板５６が取付長孔２の周縁２ａに係合する。略同時に、一対の引手本体１１の連結部材３０の係止部４０同士が互いに係止して、一対の連結部材３０を連結するので、一対の引手本体１１，１１が引戸１に固定される。
【００５３】
一対の連結部材３０の連結は、図７（ａ）に示すように、一方の連結部材３０の係止凹部４１に他方の連結部材３０の係止凸部４２が係止し、一方の連結部材３０の係止凸部４２が他方の連結部材３０の係止凹部４１に係止して行われる。一対の連結部材３０は、上記したように連結すると、係止凹部４１の係止爪４１ａと係止凸部４２の係止爪４２ａが噛み合うので、連結の解除が困難である。
【００５４】
一方の引手本体１１を引戸１の一方の面側から取付長孔２に装着し、他方の引手本体１１を引戸１の他方の面側から取付長孔２に装着すると、一対の引手本体１１の接続部材７０の係合部８０同士が互いに係合して、一対の接続部材７０を接続するので、一対の引手本体１１，１１が引戸１により強固に固定される。一対の接続部材７０の接続は、図７（ｂ）に示すように、一方の接続部材７０の係合凹部８２に他方の接続部材７０の係合凸部８１が係合し、一方の接続部材７０の係合凸部８１が他方の接続部材７０の係合凹部８２に係合して行われる。一対の接続部材７０は、上記したように接続すると、係合凹部８２の係合爪８３ａ，８４ａと係合凸部８１の係合爪８１ａが噛み合うので、接続の解除が困難である。
【００５５】
連結部材３０は、引手本体１１に摺動可能に係止される構成であれば良く、連結部材３０の一対の係止縁３５，３６を引手本体１１の一対の係止条２１，２２に係止して引手本体１１に取り付けられるものである。上記実施の形態では、係止条２１，２２を係止突条で説明したが、当業者の設計技術の範囲で、連結部材３０と引手本体１１の形状に合わせて、係止条２１，２２を係止溝条等に設計変更は可能である。
【産業上の利用可能性】
【００５６】
本願発明は、引戸に取り付けられ、引戸の開閉の際に手を引っ掛けて使用される引戸用引手装置に利用可能である。
【符号の説明】
【００５７】
１  引戸
２  取付長孔
２ａ  周縁
２ｂ  内側壁
３  開閉端
１０  引戸用引手装置
１１  引手本体
１２  底壁
１２ａ  一方の面（上面）
１２ｂ  他方の面
１３  側壁
１３ａ  先端部
１３ｂ  接続部
１４  側壁
１４ａ  先端部
１４ｂ  接続部
１５  フランジ
１６  フランジ
１７  係止爪条
１８  係止爪条
２１  係止突条（係止条）
２２  係止突条（係止条）
２３  係止凹条
２４  係止凹条
２６  当接凸条
２７  当接凸条
３０  連結部材
３２  基板（基部）
３２ａ  一方の面
３５  係止縁
３６  係止縁
３７  係止部
３８  係止部
３９  ネジ
４０  係止部
４１  係止凹部
４１ａ  係止爪
４２  係止凸部
４２ａ  係止爪
４３  突起板
４４  突起板
５０  端部接続手段
５１  キャップ体
５２  平面板
５３  背面板
５５  傾斜体
５６  上面板
５７  差込溝
６１  係合突起
６２  係合突起
６３  ガイド片
６４  固定片
６５  固定片
６６  係合片
６７  係合片
６８  傾斜縁
７０  接続部材
７２  基体
７５  係合片
７６  係合片
７７  係合板
７８  係合板
８０  係合部
８１  係合凸部
８１ａ  係合爪
８２  係合凹部
８３  突起板
８４  突起板
８３ａ  係合爪
８４ａ  係合爪
８３ｂ  リブ
８４ｂ  リブ
【図１】
0006348069.tif 000002
【図２】
0006348069.tif 000003
【図３】
0006348069.tif 000004
【図４】
0006348069.tif 000005
【図５】
0006348069.tif 000006
【図６】
0006348069.tif 000007
【図７】
0006348069.tif 000008
【図８】
0006348069.tif 000009
【図９】
0006348069.tif 000010
【図１０】
0006348069.tif 000011
【図１１】
0006348069.tif 000012
【図１２】
0006348069.tif 000013
【図１３】
0006348069.tif 000014
【図１４】
0006348069.tif 000015